(57)【要約】      （修正有）【課題】クッション性を有し、エネルギーを伝導し、強力推進及び動態バランス等の多重効果を具えた複合式靴中敷の提供。【解決手段】複合式靴中敷は、軽量で良好な弾性の踏みつけ部１と硬質で支持性が良好な踵部２を含み、踵部２はさらに上面が足裏に接触する載置部２１、底面がゴムのアウトソールに接着される支持部２２、及び両者の中間に位置するクッション部２３を含む。載置部２１の前端両側に外向きに延伸されて突出する定位端部２１１があり、踏みつけ部１の後端上面に、定位端部２１１に対応する定位溝１１が設けられて、これにより踏みつけ部１と踵部２が接合されるときの正確性がアップされる。支持部２２の前端に外向きに突出するスコップ部２２１があり、踏みつけ部１後端底面の組合せ溝に対応し、これにより踏みつけ部１と踵部２の接合時の安定性がアップされる。【選択図】図１
0003199857.tif 000002
【実用新案登録請求の範囲】
【請求項１】
複合式靴中敷において、軽量で良好な弾性の踏みつけ部と硬質で支持性が良好な踵部を含み、該踵部は上面が足の裏と接触する載置部と、底面がアウトソールと結合される支持部、及び該載置部と該支持部の間に位置するクッション部を含み、該踵部と該踏みつけ部が接合されて一体とされたことを特徴とする、複合式靴中敷。
【請求項２】
請求項１記載の複合式靴中敷において、該載置部の前端に外向きに延伸されて突出する定位端部があり、該踏みつけ部の後端上面の定位溝に対応し、該踏みつけ部と該踵部の接合時の正確性が得られることを特徴とする、複合式靴中敷。
【請求項３】
請求項１記載の複合式靴中敷において、該支持部の前端に外向きに突出するスコップ部が形成され、該踏みつけ部の後端底面の組合せ溝に対応し、踏みつけ部と踵部の接合時の安定性が得られることを特徴とする、複合式靴中敷。
【請求項４】
請求項１記載の複合式靴中敷において、該クッション部は縦向き圧力を積載する連続三角形桁架を有し、任意の一つの三角形桁架の頂角と該載置部は接続され、任意の一つの三角形桁架の二つの底角と該支持部は接続され、山峰形支持構造を形成することを特徴とする、複合式靴中敷。
【請求項５】
請求項４記載の複合式靴中敷において、該クッション部の任意の二つの頂角と二つの底角の間に圧力を吸収する開口スペースが形成されたことを特徴とする、複合式靴中敷。
【請求項６】
請求項１記載の複合式靴中敷において、該踏みつけ部と該踵部が組み合わされて一体に接合された後に耐磨耗物性が良好なゴムアウトソールと結合されることを特徴とする、複合式靴中敷。
【請求項７】
請求項１記載の複合式靴中敷において、該踵部はＴＰＵで形成されたことを特徴とする、複合式靴中敷。
【請求項８】
請求項１記載の複合式靴中敷において、該踏みつけ部はＥＶＡで形成されたことを特徴とする、複合式靴中敷。
【請求項９】
請求項１記載の複合式靴中敷において、該踏みつけ部はＰＵで形成されたことを特徴とする、複合式靴中敷。
【考案の詳細な説明】
【技術分野】
【０００１】
本考案は靴に係り、特に、二種類の異なる材質を複合して一体としてなる靴中敷であって、クッション性を有し、エネルギーを伝導し、強力推進及び動態バランス等の多重効果を具えた複合式靴中敷に関する。
【背景技術】
【０００２】
走行動力学によると、走路は先ず踵で着地し、体重が足の外側から足先へと移動し、さらに足先が蹴られて前進する。走路は一歩踏み出すごとに、体重の０．７から１．５倍の重量が足の裏にかかり、反発力が足の踝の関節、膝関節に衝撃を与え、衝撃を低減するために、靴底には弾性緩衝の機能が設けられるべきである。従って、各種各様式のエアマット靴が発生した。
【０００３】
たとえば、特許文献１記載の発明は、一種の省力気嚢靴を提供しており、それは踵省力装置、土踏まず省力装置及び足先省力装置を含む。各省力装置はいずれも気嚢部を具えている。踵を地につけた瞬間、踵の気嚢圧力が推進力を発生し土踏まず気嚢部へと伝送する。土踏まずを下ろした瞬間、踵気嚢部が発生した推進力は足先気嚢部に伝送される。足先が降ろされた瞬間、足先気嚢も推進力を発生し、並びに足先が圧力を釈放する。
【０００４】
特許文献２記載の発明は、エアマットを含むエアクッション靴構造を提供し、該エアマットはさらに気嚢部と充気部を含み、該気嚢部と充気部の間に連接部材が設けられ、該連接部材は気嚢部と充気部を導通させ、充気部が圧力を受ける時、充気部の気体を気嚢部へと流す。
【０００５】
特許文献３記載の考案は、靴底緩衝構造を提供し、靴のアウトソールの、足の踏みつけ部、踵部に対応する部分に、前収容溝と後収容溝を形成し、前収容溝内に第１クッションブロックを設け、後収容溝内に第２クッションブロック及び挿入溝を設ける。また靴底のハードボードを靴のアウトソール、第１クッションブロック、第２クッションブロックの上端に重畳し、並びに該靴底ハードボードの足の踵部に対応する部分に開口部を形成し、足の踵部の下方に対応するように第３クッションブロックを設け、第３クッションブロックを靴底ハードボードの開口部に突伸させ、さらに第２クッションブロックの上端に当接させる。これによりクッション効果がより良好で且つ修理とメンテナンスが容易な靴底構造を形成している。
【０００６】
特許文献４記載の考案は、一種のエアマット式減圧中敷を提供し、靴中敷を含み、それは踵部、土踏まず部、踏みつけ部を含む。緩衝気嚢が、踵部に嵌め込まれる。縦土踏まず気嚢は土踏まず部に嵌め込まれる。横土踏まず気嚢は踏みつけ部に嵌め込まれる。複数の逆止め弁が、緩衝気嚢、縦土踏まず気嚢及び横土踏まず気嚢に組み付けられ、靴中敷外部の空気を気嚢内に流入させ、並びに空気が各気嚢内より逆方向に流出するのを防止する。足部の異なる領域に、対応する気嚢を取り付けることにより、歩行態様を安定させる。
【先行技術文献】
【特許文献】
【０００７】
【特許文献１】台湾特許第４４１６０２号明細書
【特許文献２】台湾特許第３７５５３０号明細書
【特許文献３】台湾実用新案第４８０２８１号明細書
【特許文献４】台湾実用新案第４７２４２５号明細書
【考案の概要】
【考案が解決しようとする課題】
【０００８】
上述のエアマット靴のアイデアは良好であるが、エアマット気嚢は多数の気嚢を充気管路に結合させることにより達成され、気嚢を長期に使用すると充気不足により陥没や位置ずれ現象が発生し、明らかに全体の使用効果が損なわれる。
【０００９】
このほか、前述の走行動力学によると、走路はまず踵から着地し、体重が足の外側から足先へと移動し、さらに足先で蹴られて前進する。一歩踏み出すごとに、足裏の靴中敷の着地点及び力は同じでなく、これにより、僅かに単一の材質で製造された靴中敷は十分に足裏の異なる部分に走行時に必要な異なる程度の支持を提供できるか否かは、疑わしい。
【００１０】
これを鑑み、本考案は一種の複合式靴中敷を提供し、上述の周知のエアマット靴の理想的でないところを解決する。
【課題を解決するための手段】
【００１１】
すなわち、本考案は一種の複合式靴中敷を提供し、それは軽量で弾性が良好なＥＶＡ或いはＰＵで製造した踏みつけ部と硬質で支持性が良好なＴＰＵで製造した踵部の両者を複合してなる。
【考案の効果】
【００１２】
本考案の複合式靴中敷は、軽量で弾性が良好なＥＶＡ或いはＰＵで製造した踏みつけ部と硬質で支持性が良好なＴＰＵで製造した踵部の両者を複合してなり、それにより靴中敷に前部の弾性と後部の支持性を具備させ、これによりクッション性、エネルギー伝導、強力推進及び動態バランスなどの多重効果を提供する。
【図面の簡単な説明】
【００１３】
【図１】本考案の立体分解図である。
【図２】本考案の外観立体図である。
【考案を実施するための形態】
【００１４】
図１及び図２を参照されたい。本考案の靴中敷は軽量で良好な弾性を具えたＥＶＡ或いはＰＵで製造された踏みつけ部１及び硬質で支持性が良好であるＴＰＵで製造された踵部２の両者を複合後の靴中敷であって、前部が弾性を有し後部が支持性を有する特性により、クッション性、エネルギー伝導、強力推進及び動態バランス等の多重の効果を提供する。
【００１５】
そのうち、踵部２はさらに上面が足裏に接触する載置部２１、底面がゴムのアウトソールに接着される支持部２２、及び両者の中間に位置するクッション部２３を含む。
【００１６】
該載置部２１の前端両側に外向きに延伸されて突出する定位端部２１１があり、踏みつけ部１の後端上面に、該定位端部２１１に対応する定位溝１１が設けられて、これにより踏みつけ部１と踵部２が接合されるときの正確性がアップされる。
【００１７】
該支持部２２の前端に外向きに突出するスコップ部２２１があり、踏みつけ部１後端底面の組合せ溝（図示せず）に対応し、これにより踏みつけ部１と踵部２の接合時の安定性がアップされる。
【００１８】
載置部２１と支持部２２の中間に位置するクッション部２３は縦向き圧力を積載する連続三角形桁架を有し、任意の一つの三角形桁架の頂角２３１と上部の載置部２１は接続される。任意の一つの三角形桁架の二つの底角２３２と底部の支持部２２は接続され、それが形成する山峰形構造は強大な支持性及び安定性を有し、走行或いは歩行時のエネルギーの消耗を減らせ、並びに運動中の動態バランスを維持できる。
【００１９】
上述の任意の二つの頂角２３１及び二つの底角２３２の間には開口スペース２３３が形成されて、圧力を吸収するのに用いられる。
【００２０】
上述のクッション部２３の任意の一つの三角形桁架の頂角位置に対応し、底部の支持部２２に上向きに突出するように三角リブ２２２が形成され、該三角リブ２２２は厚さが比較的薄い底部の支持部２２に対して、補強の効果を有するほか、上述の開口スペース２３３の振動吸収効果と結合することで、有効に支持部２２が地面に接触する時の反発力を吸収でき、さらにクッション部２３の山峰形構造が提供する支持性及び安定性により動態エネルギーの消耗を減らし、並びに該エネルギーを急速に踏みつけ部１に伝導し、さらに踏みつけ部のＥＶＡ材料の軽量で良好な弾性という特性を利用し、省力推進の効果を達成する。
【００２１】
図２に示される踏みつけ部１と踵部２が前述の定位端部２１１が定位溝１１に対応させられ、スコップ部２２１が組合せ溝に対応させられて接合された後、さらに耐磨耗性が良好なゴムアウトソール３と接合され、三者が一体に結合される。
【００２２】
前述の走行動力学によると、踵がまず着地し、偏平足でなければ、足の外側が着地し、最後に足の親指より全体の圧力が釈放され、蹴られて前進する。本考案はこの走行動力学により提供される複合式靴中敷であり、硬質で支持性が良好なＴＰＵで製造された踵部２により踵が着地する圧力を受け止め、同時にクッション部２３のエアマットに類似の機能で、一方で足の踵に対する反発力を緩和し、また反発エネルギーを足の外側を介して前向きに足先に伝導し、足の外側及び足先が存在する踏みつけ部１は軽量で良好な弾性のＥＶＡ或いはＰＵで製造され、エネルギーの伝導過程中に、より急速に前向きに推進でき、最後に動態バランスの最終目標を達成する。
【００２３】
以上を総合すると、本考案は二種類の異なる材質の物性を結合させ、走行動力の理論に基づき、非常にシンプルな構造で、周知のエアマット靴の欠点を解決するのみならず、クッション性、エネルギー伝導、強力推進及び動態バランス等の多重効果を成就する。以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００２４】
１  踏みつけ部
１１  定位溝
２  踵部
２１  載置部
２１１  定位端部
２２  支持部
２２２  三角リブ
２３  クッション部
２３１  頂角
２３２  底角
２３３  開口スペース
３  アウトソール
【図１】
0003199857.tif 000003
【図２】
0003199857.tif 000004